(57)【要約】【課題】画像形成装置の使い勝手を向上させる。【解決手段】画像形成システム１０００において、画像形成装置１のＣＰＵ１１０は、用紙サイズと原稿サイズとを比較するためのサイズ条件を満たすと判断した場合、ユーザがＰＣ５００の表示する印刷設定画面にて「余白なし」の設定を行ったか否かにかかわらず、用紙の端部に余白領域を設けない状態で原稿画像を用紙上に形成する。【選択図】図１
2011253002.tif 000002
【特許請求の範囲】
【請求項１】
原稿画像を用紙上に形成するための画像形成方法であって、
前記用紙の用紙サイズを指定させる指定工程と、
前記原稿画像の原稿サイズを取得し、前記指定工程で指定させた用紙サイズと取得した原稿サイズとを比較する比較工程と、
前記比較工程による比較の結果、前記用紙サイズの前記原稿サイズに対する差分値が所定値を上回る場合に、前記用紙の端部に余白領域を設けない状態で前記原稿画像を用紙上に形成するための画像情報を生成する第１の生成工程と、
生成された前記画像情報に基づいて、前記原稿画像を用紙上に形成する形成工程と、
を備えることを特徴とする画像形成方法。
【請求項２】
請求項１に記載の画像形成方法において、
前記比較工程による比較の結果、前記用紙サイズの前記原稿サイズに対する差分値が所定値と等しい又は所定値を下回る場合に、前記用紙の端部に余白領域を設けた状態で前記原稿画像を用紙上に形成するための画像情報を生成する第２の生成工程を備えることを特徴とする画像形成方法。
【請求項３】
請求項１又は２に記載の画像形成方法において、
前記第１の生成工程は、前記形成工程により前記原稿画像を用紙上に形成するためのイメージデータを、ＲＩＰ処理を用いて生成するＲＩＰ処理工程を有し、
前記第１の生成工程により生成される画像情報は、前記用紙の端部に余白領域を設けない状態で前記原稿画像を用紙上に形成するためのイメージデータを含むことを特徴とする画像形成方法。
【請求項４】
請求項１又は２に記載の画像形成方法において、
前記第１の生成工程により生成される画像情報は印刷ジョブであることを特徴とする画像形成方法。
【請求項５】
請求項４に記載の画像形成方法において、
前記比較工程は、前記用紙サイズと前記原稿サイズとを比較し、前記原稿画像を用紙上に形成する際の望ましい設定をユーザに提示する提示工程を含むことを特徴とする画像形成方法。
【請求項６】
請求項５に記載の画像形成方法において、
前記望ましい設定は、前記用紙サイズの前記原稿サイズに対する差分値が所定値を上回る場合に前記用紙の端部に余白領域を設けない状態で前記原稿画像を用紙上に形成するための設定を含むことを特徴とする画像形成方法。
【請求項７】
請求項６に記載の画像形成方法において、
前記望ましい設定は、前記用紙サイズの前記原稿サイズに対する差分値が所定値と等しい又は所定値を下回る場合に前記用紙の端部に余白領域を設けた状態で前記原稿画像を用紙上に形成するための設定と、前記原稿画像を用紙上に形成する位置の設定と、前記原稿画像を拡大縮小した状態で用紙上に形成するための設定と、を含むことを特徴とする画像形成方法。
【請求項８】
原稿画像を用紙上に形成する画像形成装置であって、
前記原稿画像と前記原稿画像の原稿サイズと前記用紙の用紙サイズとを含む印刷ジョブを受信する受信部と、
前記印刷ジョブに基づいて、前記原稿画像を用紙上に形成するためのイメージデータをＲＩＰ処理により生成可能であって、前記受信部より受信した印刷ジョブに基づいて、前記用紙サイズと前記原稿サイズとを比較し、比較した結果、前記用紙サイズの前記原稿サイズに対する差分値が所定値を上回る場合に、前記用紙の端部に余白領域を設けない状態で前記原稿画像を用紙上に形成するためのイメージデータを生成する制御部と、
前記制御部により生成されたイメージデータに基づいて前記原稿画像を用紙上に形成する形成部と、
を備えることを特徴とする画像形成装置。
【請求項９】
原稿画像を用紙上に形成する画像形成装置に備わるコンピュータを、
前記原稿画像と前記原稿画像の原稿サイズと前記用紙の用紙サイズとを含む印刷ジョブを受信する受信手段、
前記印刷ジョブに基づいて、前記原稿画像を用紙上に形成するためのイメージデータをＲＩＰ処理により生成可能であって、前記受信手段より受信した印刷ジョブに基づいて、前記用紙サイズと前記原稿サイズとを比較し、比較した結果、前記用紙サイズの前記原稿サイズに対する差分値が所定値を上回る場合に、前記用紙の端部に余白領域を設けない状態で前記原稿画像を用紙上に形成するためのイメージデータを生成する制御手段、
前記制御手段により生成されたイメージデータに基づいて前記原稿画像を用紙上に形成する形成手段、
として機能させるプログラム。
【発明の詳細な説明】
【技術分野】
【０００１】
本発明は、画像形成方法、画像形成装置、及びプログラムに関する。
【背景技術】
【０００２】
プリンタや複写機等の画像形成装置は、原稿画像を用紙上に形成する印刷処理を行う。
当該画像形成装置は、一般に原稿画像の外縁部分に相当する用紙の端部に余白領域を設けた状態で印刷処理を行う。具体的には、画像形成装置は、ＲＩＰ（Ｒａｓｔｅｒ Ｉｍａｇｅ Ｐｒｏｃｅｓｓｏｒ）処理により印刷ジョブからイメージデータを生成する際に、印刷ジョブの原稿画像より上記余白領域と重複する箇所を削除する。そして、画像形成装置は、生成したイメージデータに基づき、上記重複する箇所が削除された原稿画像（以下、余白のある画像）を用紙上に形成する。
これは、画像形成装置が当該余白領域近傍まで原稿画像を形成する場合、印刷処理の処理速度低下、当該余白領域近傍に付着するトナーによる画像形成装置内部の汚れ、等の現象が発生することを事前回避するためである。
ところが、画像形成装置が上記余白のある画像を用紙上に形成すると、ユーザは印刷ジョブの原稿画像と相違する画像出力の結果を取得することになる。換言すると、ユーザは期待通りの画像出力の結果を得られない。
【０００３】
そこで、一例として、ユーザが、画像形成装置に備わる操作パネルを用いて、余白のある画像を用紙上に形成するパターンと、余白のない画像（つまり、上記重複する箇所が削除されない原稿画像）を用紙上に形成するパターンと、を事前に設定できる画像形成装置がある（特許文献１等参照）。そして、当該画像形成装置は、余白のない画像を用紙上に形成するパターンが選択された場合、用紙サイズと原稿サイズとを比較して原稿サイズを適宜変更することで、余白のない画像を形成することができる。
【先行技術文献】
【特許文献】
【０００４】
【特許文献１】特開２００８−６７１２５号公報
【発明の概要】
【発明が解決しようとする課題】
【０００５】
しかしながら、上記特許文献１に記載の画像形成装置は、ユーザが事前に余白のない画像を用紙上に形成するパターンを選択した場合に限り、余白のない画像を形成する。つまり、上記画像形成装置は、例えば、用紙サイズが原稿サイズより十分大きな場合でも、ユーザが事前に余白のない画像を用紙上に形成するパターンを選択していない限り、余白のある画像を形成する。そのため、ユーザにとって画像形成装置の使い勝手が悪いという問題があった。
【０００６】
そこで、本発明の課題は、画像形成装置の使い勝手を向上させることである。
【課題を解決するための手段】
【０００７】
以上の課題を解決するため、請求項１に記載の発明は、原稿画像を用紙上に形成するための画像形成方法であって、前記用紙の用紙サイズを指定させる指定工程と、前記原稿画像の原稿サイズを取得し、前記指定工程で指定させた用紙サイズと取得した原稿サイズとを比較する比較工程と、前記比較工程による比較の結果、前記用紙サイズの前記原稿サイズに対する差分値が所定値を上回る場合に、前記用紙の端部に余白領域を設けない状態で前記原稿画像を用紙上に形成するための画像情報を生成する第１の生成工程と、生成された前記画像情報に基づいて、前記原稿画像を用紙上に形成する形成工程と、を備えることを特徴とする。
【０００８】
また、請求項８に記載の発明は、原稿画像を用紙上に形成する画像形成装置であって、前記原稿画像と前記原稿画像の原稿サイズと前記用紙の用紙サイズとを含む印刷ジョブを受信する受信部と、前記印刷ジョブに基づいて、前記原稿画像を用紙上に形成するためのイメージデータをＲＩＰ処理により生成可能であって、前記受信部より受信した印刷ジョブに基づいて、前記用紙サイズと前記原稿サイズとを比較し、比較した結果、前記用紙サイズの前記原稿サイズに対する差分値が所定値を上回る場合に、前記用紙の端部に余白領域を設けない状態で前記原稿画像を用紙上に形成するためのイメージデータを生成する制御部と、前記制御部により生成されたイメージデータに基づいて前記原稿画像を前記用紙上に形成する形成部と、を備えることを特徴とする。
【０００９】
また、請求項９に記載の発明は、プログラムであって、原稿画像を用紙上に形成する画像形成装置に備わるコンピュータを、前記原稿画像と前記原稿画像の原稿サイズと前記用紙の用紙サイズとを含む印刷ジョブを受信する受信手段、前記印刷ジョブに基づいて、前記原稿画像を用紙上に形成するためのイメージデータをＲＩＰ処理により生成可能であって、前記受信手段より受信した印刷ジョブに基づいて、前記用紙サイズと前記原稿サイズとを比較し、比較した結果、前記用紙サイズの前記原稿サイズに対する差分値が所定値を上回る場合に、前記用紙の端部に余白領域を設けない状態で前記原稿画像を用紙上に形成するためのイメージデータを生成する制御手段、前記制御手段により生成されたイメージデータに基づいて前記原稿画像を前記用紙上に形成する形成手段、として機能させる。
【発明の効果】
【００１０】
したがって、本発明は、画像形成装置の使い勝手を向上させることができる。
【図面の簡単な説明】
【００１１】
【図１】実施形態１に係る画像形成システムのブロック図である。
【図２】実施形態１に係る画像形成装置の概略構成図である。
【図３】実施形態１に係る印刷設定画面を模式的に表現した図である。
【図４】実施形態１に係る印刷設定データを例示する図である。
【図５】実施形態１に係るサイズテーブルを例示する図である。
【図６】従来の画像形成装置が生成するイメージデータを説明するための図であり、（ｉ）はイメージデータを生成する前の状態を、（ｉｉ）は生成したイメージデータを、それぞれ模式的に示す。
【図７】実施形態１の画像形成装置が、サイズ条件を満たす場合に生成するイメージデータを説明するための図であり、（ｉ）はイメージデータを生成する前の状態を、（ｉｉ）は生成したイメージデータを、それぞれ模式的に示す。
【図８】実施形態１のＰＣによる印刷ジョブ生成処理を説明するためのフローチャートである。
【図９】実施形態１の画像形成装置による印刷処理を説明するためのフローチャートである。
【図１０】実施形態２に係る奨励設定画面を模式的に表現した図であり、（ｉ）は第１奨励設定画面を、（ｉｉ）は第２奨励設定画面を、それぞれ示す。
【図１１】実施形態２に係る印刷設定データを例示する図であり、（ｉ）は余白なしの設定を反映させた印刷設定データを、（ｉｉ）は用紙サイズに合わせて拡大／縮小した原稿サイズからなる印刷設定データを、それぞれ示す。
【図１２】実施形態２のＰＣによる印刷ジョブ生成処理を説明するためのフローチャートである。
【図１３】実施形態２の画像形成装置による印刷処理を説明するためのフローチャートである。
【発明を実施するための形態】
【００１２】
「実施形態１」
以下、実施形態１の画像形成システム１０００について、図１〜図９を参照して説明する。
【００１３】
画像形成システム１０００は、図１に示すように、画像形成装置１と、ＰＣ（Ｐｅｒｓｏｎａｌ  Ｃｏｍｐｕｔｅｒ）５００と、を含んで構成される。画像形成装置１とＰＣ５００とは、ＬＡＮ（Ｌｏｃａｌ  Ａｒｅａ  Ｎｅｔｗｏｒｋ）等からなるネットワークＮを介して接続される。
【００１４】
まず、画像形成装置１の構成について説明する。
画像形成装置１は、読取った原稿画像又はネットワークＮを介してＰＣ５００から送信される印刷ジョブの原稿画像を用紙上に形成する印刷処理を行う。当該画像形成装置１は、図１及び図２に示すように、ＡＤＦ（Ａｕｔｏ Ｄｏｃｕｍｅｎｔ Ｆｅｅｄｅｒ）１０と、読取り部２０と、給紙部３０と、画像形成部４０と、エンジン制御部５０と、出力部６０と、表示／操作部７０と、制御部１００と、を含んで構成される。
【００１５】
ＡＤＦ１０は、原稿載置用のトレイに積載される原稿を、最上部から順に読取り部２０へ自動搬送する。
読取り部２０は、ＡＤＦ１０により搬送された原稿の読取り処理を行う。具体的には、読取り部２０は、原稿を光源から出射した光で走査し、反射光をＣＣＤ（Ｃｈａｒｇｅ Ｃｏｕｐｌｅｄ Ｄｅｖｉｃｅ）で結像して光電変換する。そして、読取り部２０は、光電変換によって読取った原稿より原稿画像を取得する。また、読取り部２０は、取得した原稿画像を後述する画像形成部４０へ出力する。
【００１６】
給紙部３０は、用紙のサイズ、斤量、紙色等に応じて設けられた複数の給紙トレイ３１〜３３を備える。そして、給紙部３０は、複数の給紙トレイ３１〜３３の中の一の給紙トレイから、画像形成部４０が画像形成を行う際に必要な用紙を給紙する。なお、給紙部３０に備わる給紙トレイの数は、図２に示す個数に限定されるものではなく、適宜に変更できる。
【００１７】
画像形成部４０は、エンジン制御部５０からの指示に従って、原稿画像を用紙上に形成する。画像形成部４０は、例えば、感光体ドラム４１と、レーザユニット４２と、転写部４３と、定着部４４と、を含んで構成される。
【００１８】
感光体ドラム４１は、主軸回りに回動する円柱状のドラムである。感光体ドラム４１は、レーザユニット４２より照射されるレーザ光により周面にトナー像を形成する。そして、感光体ドラム４１は、形成したトナー像を転写部４３に転写させる。
レーザユニット４２は、感光体ドラム４１に複数のレーザ光を照射して感光体ドラム４１にトナー像を形成する。つまり、レーザユニット４２は、主走査方向及び副走査方向にレーザ光を走査することで、原稿画像の書き込みを行うユニットである。
転写部４３は、感光体ドラム４１の周面に摺接する転写ベルトにより感光体ドラム４１上に形成されたトナー像を転写する。そして、転写部４３は、トナー像が転写された転写ベルト及び給紙部３０により給紙される用紙を転写ローラにより定着部４４に搬送する。
定着部４４は、加熱及びニップ圧による加圧を行うことにより、トナー像を用紙に定着する。そして、定着部４４は、トナー像が定着された用紙をローラにより出力部６０へ搬送する。
【００１９】
エンジン制御部５０は、制御部１００から送信される指示信号に従って、主に画像形成部４０等を制御する。そして、エンジン制御部５０は、画像形成部４０に原稿画像を用紙上に形成させる制御を行うことで画像形成処理を実行する。そのため、画像形成部４０とエンジン制御部５０とは形成部として機能する。
【００２０】
出力部６０は、画像形成部４０により画像形成された用紙を出力する排紙用のトレイである。
【００２１】
表示／操作部７０は、ＬＣＤ（Ｌｉｑｕｉｄ  Ｃｒｙｓｔａｌ  Ｄｉｓｐｌａｙ）と、ＬＣＤを覆うように設けられたタッチパネルと、各種操作キーや操作ボタン等の操作キー群と、等で構成される。表示／操作部７０は、制御部１００からの指示に従って、各種操作画面や各種処理結果をＬＣＤに表示する。また、表示／操作部７０は、ユーザによりタッチパネルや操作キー群が操作されると、操作内容に応じた各種操作信号を制御部１００へ出力する。
【００２２】
制御部１００は、画像形成装置１の動作全般を統括制御する。制御部１００は、ＣＰＵ（Ｃｅｎｔｒａｌ  Ｐｒｏｃｅｓｓｉｎｇ  Ｕｎｉｔ）１１０と、ＲＡＭ（Ｒａｎｄａｍ  Ａｃｃｅｓｓ  Ｍｅｍｏｒｙ）１２０と、ＨＤＤ（Ｈａｒｄ  Ｄｉｓｋ  Ｄｒｉｖｅ)１３０と、通信Ｉ／Ｆ部１４０と、等から構成される。
【００２３】
ＣＰＵ１１０は、ＨＤＤ１３０に記憶された各種プログラムを読み出してＲＡＭ１２０に展開し、その展開した各種プログラム（プログラムコード）を実行することで、画像形成装置１の動作全般を制御する。
ＣＰＵ１１０は、例えば、ＰＣ５００より送信される印刷ジョブに基づくＲＩＰ処理を実行する。ＲＩＰ処理は、印刷ジョブの原稿画像を、エンジン制御部５０が画像形成処理を行うためのデータ形式であるイメージデータに変換する処理である。ＣＰＵ１１０は、当該ＲＩＰ処理で生成するイメージデータと、エンジン制御部５０がイメージデータに基づく画像形成処理を実行する際に必要な各種処理情報と、を含む画像形成データ（画像情報）を生成する。そして、ＣＰＵ１１０は、生成した画像形成データをエンジン制御部５０へ送信し、エンジン制御部５０に画像形成データに基づく画像形成処理を実行させる。
【００２４】
ＲＡＭ１２０は、ＣＰＵ１１０により実行される各種プログラム及び当該プログラムに係るデータを一時的に記憶するためのワークエリアを形成する。ＨＤＤ１３０は、ＣＰＵ１１０が実行する各種プログラムを、当該ＣＰＵ１１０が読取り可能なプログラムコードの形態で記憶する。また、ＨＤＤ１３０は、当該プログラムの実行に必要なパラメータやファイル等を記憶する。
【００２５】
通信Ｉ／Ｆ部１４０は、ネットワークＮを介してＬＡＮ（Ｌｏｃａｌ  Ａｒｅａ  Ｎｅｔｗｏｒｋ）等の通信機能を実現するための通信用インターフェースである。そして、ＣＰＵ１１０は、当該通信Ｉ／Ｆ部１４０によりＰＣ５００とのデータの送受信を行う。具体的には、ＣＰＵ１１０は、ＰＣ５００より送信される印刷ジョブを、通信Ｉ／Ｆ部１４０を介して取得する。そのため、通信Ｉ／Ｆ部１４０は受信部として機能する。
なお、ＰＣ５００より送信された印刷ジョブは、ＲＡＭ１２０又はＨＤＤ１３０に一時的に記憶される。
【００２６】
次に、ＰＣ５００の構成について説明する。
ＰＣ５００は、図１に示すように、ＣＰＵ５１０と、ＲＡＭ５２０と、ＨＤＤ５３０と、表示／操作部５５０と、通信Ｉ／Ｆ部５６０と、を含んで構成される。
【００２７】
ＣＰＵ５１０は、ＨＤＤ５３０に記憶された各種プログラムを読み出してＲＡＭに展開し、その展開した各種プログラム（プログラムコード）を実行することで、ＰＣ５００の動作全般を制御する。
ＲＡＭ５２０は、ＣＰＵ５１０により実行される各種プログラム及び当該プログラムに係るデータを一時的に記憶するためのワークエリアを形成する。
【００２８】
ＨＤＤ５３０は、ＣＰＵ５１０が実行する各種プログラムを、当該ＣＰＵ５１０が読取り可能なプログラムコードの形態で記憶する。また、ＨＤＤ５３０は、当該プログラムの実行に必要なパラメータやファイル等を記憶する。
ここで、ＨＤＤ５３０が記憶するプログラムには、ＣＰＵ５１０がプリンタドライバ機能を実現するためのプログラム（以下、プリンタドライバプログラム５４０と称する）がある。
【００２９】
表示／操作部５５０は、ＬＣＤと、各種機能キーを備えたキーボードやマウス等のポインティングデバイスと、等で構成される。そして、表示／操作部５５０は、ＣＰＵ５１０からの指示に従って、各種操作画面や各種処理結果をＬＣＤに表示する。また、表示／操作部５５０は、ユーザによりポインティングデバイスが操作されると、操作内容に応じた各種操作信号をＣＰＵ５１０へ出力する。
【００３０】
表示／操作部５５０は、例えば、ＣＰＵ５１０によるプリンタドライバプログラム５４０の実行に応じて、図３に示す印刷設定画面６００を表示する。ここで、印刷設定画面６００は、ユーザが、印刷を所望する原稿画像を、画像形成装置１によって用紙上に形成させる際の（原稿画像出力時の）印刷設定を行うための画面である。
例えば、ユーザは「原稿サイズ」の項目６０４で、原稿画像出力時における原稿画像のサイズ（原稿サイズ）を設定できる。また、ユーザは「用紙サイズ」の項目６０５で、原稿画像出力時における用紙のサイズ（用紙サイズ）を設定できる。また、ユーザは「用紙サイズに合わせる」の項目６０１にチェックを入れることで、設定した用紙サイズが原稿サイズに比べて大きい／小さい場合でも、画像形成装置１に原稿サイズが用紙サイズに程度よく収まるような原稿サイズの拡大／縮小処理を実行させることができる。また、ユーザは「余白なし」の項目６０２にチェックを入れることで、画像形成装置１に用紙の端部に余白領域を設けない状態で原稿画像を用紙上に形成することができる。また、ユーザは「プリント位置」の項目６０３で、「中央」、「左上」等と設定することで、画像形成装置１が用紙上に原稿画像を形成するプリント位置を指定できる。また、ユーザは、項目６０６に表示されたプレビュー画像によって、項目６０１〜項目６０５による印刷設定を反映させた画像形成装置１による印刷処理の結果を事前確認できる。
【００３１】
通信Ｉ／Ｆ部５６０は、ＬＡＮ（Ｌｏｃａｌ  Ａｒｅａ  Ｎｅｔｗｏｒｋ）等の通信機能を実現するための通信用インターフェースである。
つまり、ＣＰＵ５１０は、通信Ｉ／Ｆ部５６０によりネットワークＮを介して画像形成装置１とのデータの送受信を行う。具体的には、ＣＰＵ５１０は、プリンタドライバプログラム５４０を実行し、印刷設定画面６００を介してユーザが行った印刷設定に応じた印刷ジョブを生成する。そして、ＣＰＵ５１０は、当該印刷ジョブを通信Ｉ／Ｆ部５６０により画像形成装置１に送信する。
【００３２】
ここで、印刷ジョブは、原稿画像と、ユーザが設定した印刷設定に関する印刷設定データと、を含む。印刷設定データは、例えば、図４に示すように、印刷設定に関する各種情報がＰＪＬ（Ｐｒｉｎｔｅｒ Ｊｏｂ Ｌａｎｇｕａｇｅ）形式で記載されたデータである。なお、図４に示す印刷設定データの項目６５１は、印刷設定画面６００の項目６０２にチェックが入っていないことを表す。つまり、「ＦＵＬＬＢＬＥＥＤ＝ＯＦＦ」は、「余白なし」の設定がされていないことを示唆する。また、図４に示す印刷設定データの項目６５２は、印刷設定画面６００の項目６０５で用紙サイズがＡ３に設定されたことを表す。また、図４に示す印刷設定データの項目６５３は、印刷設定画面６００の項目６０４で原稿サイズがＡ４（横サイズ：２１０ｍｍ、縦サイズ：２９７ｍｍ）に設定されたことを表す。また、図４に示す印刷設定データの項目６５４は、印刷設定画面６００の項目６０３でプリント位置が「中央」に設定されたことを表す。
【００３３】
次に、ＰＣ５００より印刷ジョブが送信された場合の画像形成装置１が行う印刷処理について説明する。
【００３４】
ＣＰＵ１１０は、送信された印刷ジョブより原稿画像と印刷設定データを取得する。そして、ＣＰＵ１１０は、印刷設定データの項目６５１〜６５４より、「余白なし」の設定の有無と用紙サイズと原稿サイズとプリント位置とを抽出する。この際、ＣＰＵ１１０は、図５に示すサイズテーブルより、図４に示す印刷設定データの項目６５２のサイズ名に応じた横サイズ及び縦サイズを取得できる。ここで、サイズテーブルは、Ａ３〜Ｂ６までの各サイズ名に対応する横サイズ及び縦サイズと、後述する余白サイズと、を記憶するテーブルである。当該サイズテーブルはＨＤＤ１３０に予め記憶される。
【００３５】
そして、例えば、ＣＰＵ１１０が印刷ジョブに基づいて、用紙Ｐの用紙サイズをＡ３、原稿画像Ｇの原稿サイズをＡ４、原稿画像Ｇを矩形内に対角線の描画された画像、プリント位置を中央、と判断したものとする。
【００３６】
ところで、従来の画像形成装置は、ユーザによって「余白なし」の設定がなされていない限り、原稿画像Ｇの外縁部分に相当する用紙Ｐの端部に余白領域を設けた状態で印刷処理を行った。具体的には、従来の画像形成装置は、ＲＩＰ処理を行う際に、原稿画像Ｇより図６（ｉ）に示す余白領域Ｔと重複する箇所（原稿画像Ｇの外枠線）を削除する。その結果、従来の画像形成装置は、図６（ｉｉ）に示す、原稿画像Ｇの一部が欠損した余白のある変換画像Ｃを生成する。つまり、従来の画像形成装置は、ユーザによって「余白なし」の設定がなされていない場合、ＲＩＰ処理によって余白のある変換画像Ｃからなるイメージデータを生成する。
【００３７】
一方、本実施形態に係るＣＰＵ１１０は、用紙サイズと原稿サイズとを比較する。そして、用紙サイズの原稿サイズに対する差分値が所定値を上回るか下回るかにより、原稿画像Ｇの余白領域Ｔと重複する箇所を削除するか否かを判断する。具体的には、ＣＰＵ１１０は、用紙サイズの横サイズＸｏｕｔと原稿サイズの横サイズＸｏｒｉ、用紙サイズの縦サイズＹｏｕｔと原稿サイズの縦サイズＹｏｒｉ、が以下の（１）（２）のサイズ条件を満たすか否かを判断する。
【００３８】
Ｘｏｕｔ＞Ｘｏｒｉ＋２×Ｍ・・・（１）
Ｙｏｕｔ＞Ｙｏｒｉ＋２×Ｍ・・・（２）
なお、（１）（２）のサイズ条件において、Ｍは余白領域Ｔの大きさを表す余白サイズである。当該余白サイズＭは、ＣＰＵ１１０によって図５に示すサイズテーブルより取得される。
【００３９】
ここで、図７（ｉ）に、用紙サイズと原稿サイズとが（１）（２）のサイズ条件を満た
す場合を模式的に示す。つまり、図７（ｉ）に示すように、（１）（２）のサイズ条件を
満たすことは、原稿画像Ｇに余白領域Ｔの大きさを考慮してもなお、用紙Ｐの方が大きいことを示す。
そして、ＣＰＵ１１０は、（１）（２）のサイズ条件を満たすと判断した場合、図７（ｉｉ）に示すように、原稿画像Ｇより余白領域Ｔと重複する箇所を削除しないで、変換画像Ｃを生成する。つまり、ＣＰＵ１１０は、（１）（２）のサイズ条件を満たす場合、「余白なし」の設定の有無にかかわらず、用紙Ｐの端部に余白領域Ｔを設けない状態で原稿画像Ｇを用紙上に形成するための、余白のない変換画像Ｃからなるイメージデータを生成する。
【００４０】
一方、ＣＰＵ１１０は、（１）（２）のサイズ条件を満たさないと判断した場合、従来通り余白のある変換画像Ｃからなるイメージデータを生成する。この場合、ＣＰＵ１１０は、用紙サイズと原稿サイズの大小関係に応じて、原稿画像Ｇを拡大縮小した変換画像Ｃを生成する。つまり、ＣＰＵ１１０は、図３の項目６０１にてユーザが「用紙サイズに合わせる」にチェックを入れたか否かにかかわらず、用紙サイズに合わせた変換画像Ｃを生成する。ここで、原稿サイズが用紙サイズより大きい場合、変換画像Ｃの原稿画像Ｇに対する縮小率は、横方向がＸｏｕｔ／Ｘｏｒｉ、縦方向がＹｏｕｔ／Ｙｏｒｉ、等で定まる。
【００４１】
さらに、ＣＰＵ１１０は、取得したプリント位置に基づいて、当該生成した変換画像Ｃのシフト量を算出する。変換画像Ｃの横方向のシフト量Ｘｈと縦方向のシフト量Ｙｈは、図７（ｉｉ）に示すＳを起点として、それぞれ以下の（３）（４）にて算出される。
Ｘｈ＝（Ｘｏｕｔ−Ｘｏｒｉ）／２−Ｍ・・・（３）
Ｙｈ＝（Ｙｏｕｔ−Ｙｏｒｉ）／２−Ｍ・・・（４）
【００４２】
そして、ＣＰＵ１１０は、上記余白のない又は余白のある変換画像Ｃからなるイメージデータと、算出した変換画像Ｃのシフト量を含む処理情報と、を画像形成データとしてエンジン制御部５０へ送信する。エンジン制御部５０は、当該送信された画像形成データに基づいて、原稿画像Ｇの画像形成処理を行う。
【００４３】
「画像形成方法」
次に、画像形成システム１０００にて実現される画像形成方法について説明する。当該画像形成方法は、ＰＣ５００が実行する印刷ジョブ生成処理と、画像形成装置１が実行する印刷処理と、で実現される。
【００４４】
（印刷ジョブ生成処理）
まず、ＰＣ５００が実行する印刷ジョブ生成処理について、図８のフローチャートを用いて説明する。
【００４５】
はじめに、ＣＰＵ５１０は、表示／操作部５５０を介して印刷設定画面６００を表示し、ユーザに用紙サイズの指定等の印刷設定を行わせる（ステップＳ１０１；指定工程）。
次いで、ＣＰＵ５１０は、ステップＳ１０１にてユーザが行った印刷設定に基づいて印刷ジョブを生成する（ステップＳ１０２）。
次いで、ＣＰＵ５１０は、生成した印刷ジョブを通信Ｉ／Ｆ部５６０を介して画像形成装置１に送信する（ステップＳ１０３）。
【００４６】
（印刷処理）
次に、画像形成装置１が実行する印刷処理について、図９のフローチャートを用いて説明する。
【００４７】
はじめに、ＣＰＵ１１０は、通信Ｉ／Ｆ部１４０を介して印刷ジョブを受信したか否かを判断する（ステップＳ２０１）。そして、ＣＰＵ１１０は、ステップＳ２０１にて印刷ジョブを受信していないと判断した場合（ステップＳ２０１；Ｎｏ）、受信するまで待機する。
次いで、ＣＰＵ１１０は、ステップＳ２０１にて印刷ジョブを受信したと判断した場合（ステップＳ２０１；Ｙｅｓ）、印刷ジョブに含まれる印刷設定データに基づいて、（１）（２）に示したサイズ条件を満たすか否かを判断し、用紙サイズと原稿サイズとを比較する（ステップＳ２０２；比較工程）。
そして、ＣＰＵ１１０は、ステップＳ２０２にてサイズ条件を満たすと判断した場合（ステップＳ２０２；Ｙｅｓ）、ＲＩＰ処理によって余白のない変換画像Ｃを生成する（ステップＳ２０３；第１の生成工程、ＲＩＰ処理工程）。一方で、ＣＰＵ１１０は、ステップＳ２０２にてサイズ条件を満たさないと判断した場合（ステップＳ２０２；Ｎｏ）、ＲＩＰ処理によって余白のある変換画像Ｃを生成する（ステップＳ２０４；第２の生成工程）。
次いで、ＣＰＵ１１０は、ステップＳ２０３又はステップＳ２０４にて生成した変換画像Ｃのシフト量を算出する（ステップＳ２０５）。
次いで、ＣＰＵ１１０は、ステップＳ２０３又はステップＳ２０４にて生成した変換画像Ｃからなるイメージデータと、ステップＳ２０５にて算出した変換画像Ｃのシフト量からなる処理情報と、を画像形成データとしてエンジン制御部５０へ送信する（ステップＳ２０６）。
次いで、ＣＰＵ１１０は、ステップＳ２０６にて送信された画像形成データに基づいて、エンジン制御部５０に原稿画像Ｇの画像形成処理を実行させる（ステップＳ２０７；形成工程）。
【００４８】
以上により、本実施形態１に係る画像形成システム１０００によると、ＣＰＵ１１０は、（１）（２）のサイズ条件を満たすか否かを判断する。そして、ＣＰＵ１１０は、（１）（２）のサイズ条件を満たすと判断した場合、ユーザが印刷設定画面６００にて「余白なし」の設定を行ったか否かにかかわらず、用紙Ｐの端部に余白領域Ｔを設けない状態で原稿画像Ｇを用紙Ｐ上に形成することができる。つまり、ユーザは、用紙サイズが原稿サイズより十分大きい場合で、事前に「余白なし」の設定を行うことを忘れていたとしても、用紙Ｐの端部に余白領域Ｔを設けた状態の原稿画像Ｇが自動的に形成されることを回避できる。そのため、ユーザにとって画像形成装置１は使い勝手が良いといえる。
【００４９】
また、ＣＰＵ１１０は、（１）（２）のサイズ条件を満たさないと判断した場合に、用紙Ｐの端部に余白領域Ｔを設けた状態で原稿画像Ｇを用紙Ｐ上に形成することができる。
【００５０】
また、ＣＰＵ１１０は、用紙Ｐの端部に余白領域Ｔを設けない状態で原稿画像Ｇを用紙Ｐ上に形成するために、ＲＩＰ処理によって余白のない変換画像Ｃからなるイメージデータを生成できる。
【００５１】
「変形例１」
実施形態１のＣＰＵ１１０は、（１）（２）に示したサイズ条件を満たすか否かの判断結果に基づき、ＲＩＰ処理によって余白のない変換画像Ｃ又は余白のある変換画像Ｃからなるイメージデータを生成した。しかし、エンジン制御部５０が、画像形成処理において、ＣＰＵ１１０によって生成される余白のない変換画像Ｃに基づき、当該変換画像Ｃの余白領域Ｔと重複する箇所に相当する画像を形成する場合と形成しない場合とを制御する構成でもよい。
【００５２】
具体的には、ＣＰＵ１１０は、（１）（２）に示したサイズ条件を満たすか否かの判断を行う前に、ＲＩＰ処理によって余白のない変換画像Ｃからなるイメージデータを生成する。次に、ＣＰＵ１１０は、（１）（２）に示したサイズ条件を満たすか否かの判断を行う。
そして、ＣＰＵ１１０は、（１）（２）に示したサイズ条件を満たすと判断した場合、実施形態１と同様の処理を行う。つまり、ＣＰＵ１１０は、シフト量を算出した上で、余白のない変換画像Ｃからなるイメージデータと、当該算出したシフト量からなる処理情報と、を画像形成データとしてエンジン制御部５０に送信する。その結果、エンジン制御部５０は、余白のない変換画像Ｃの画像形成処理を実行することができる。
【００５３】
一方で、ＣＰＵ１１０は、（１）（２）に示したサイズ条件を満たさないと判断した場合、エンジン制御部５０に対する別の処理情報を生成する。当該処理情報は、シフト量に加えて、エンジン制御部５０が余白のない変換画像Ｃのうち余白領域Ｔと重複する箇所に相当する画像を形成しない処理を行うための指示情報を含む。指示情報は、例えば、画像形成部４０のレーザユニット４２が、図７（ｉｉ）に示す変換画像Ｃの外枠線に相当する位置を走査しないように、走査位置に制限を設けるための情報である。そして、ＣＰＵ１１０は、余白のない変換画像Ｃからなるイメージデータと、当該別の処理情報と、を画像形成データとしてエンジン制御部５０に送信する。
その結果、エンジン制御部５０は、余白のない変換画像Ｃに基づいて、余白のある変換画像Ｃと同じ画像を形成することができる。
【００５４】
以上により、本変形例によると、ＣＰＵ１１０は、（１）（２）に示したサイズ条件を満すか否かにかかわらず、画一的に余白のある変換画像Ｃを生成できる。
【００５５】
「実施形態２」
次に、実施形態２の画像形成システム１０００ａについて、図１０〜図１３を用いて説明する。実施形態１では、ＣＰＵ１１０（画像形成装置１）が（１）（２）に示したサイズ条件を満たすか否かの判断を行うように構成した。しかし、本実施形態２で述べるように、ＣＰＵ５１０（ＰＣ５００）がプリンタドライバプログラム５４０ａを実行する際に、当該判断を行うように構成してもよい。
以下の画像形成システム１０００ａの説明において、実施形態１に係る画像形成システム１０００と同様の構成については同じ符号を付し、説明を省略する。
【００５６】
まず、ＰＣ５００のＣＰＵ５１０は、プリンタドライバプログラム５４０ａを実行し、印刷設定画面６００を介してユーザが行った印刷設定に応じて、用紙サイズと原稿サイズとがサイズ条件を満たすか否かを判断する。
具体的には、ＣＰＵ５１０は、表示／操作部５５０より出力される操作信号に基づき、印刷設定画面６００の項目６０３〜項目６０５より、プリント位置と原稿サイズと用紙サイズとを取得する。
そして、ＣＰＵ５１０は、当該取得した用紙サイズと原稿サイズとを比較し、（１）（２）に示したサイズ条件を満たすか否かを判断する。つまり、ＣＰＵ５１０は、比較の結果、用紙サイズの原稿サイズに対する差分値が所定値を上回るか下回るかにより、原稿画像Ｇの余白領域Ｔと重複する箇所を削除するか否かを判断する。
【００５７】
次に、ＣＰＵ５１０は、当該判断の結果に応じて、図１０（ｉ）に示す第１奨励設定画面６１０ａや図１０（ｉｉ）に示す第２奨励設定画面６２０ａを表示／操作部５５０に表示させる。つまり、ＣＰＵ５１０は、原稿画像Ｇを用紙Ｐ上に形成する際の望ましい設定を、判断の結果に応じてユーザに提示する。
【００５８】
例えば、原稿サイズがＡ４（Ｘｏｒｉ＝２１０ｍｍ、Ｙｏｒｉ＝２９７ｍｍ）、用紙サイズがＡ３（Ｘｏｕｔ＝２９７ｍｍ、Ｙｏｕｔ＝４２０ｍｍ）、Ｍが２．５ｍｍ、とする。この場合、ＣＰＵ５１０は、（１）（２）のサイズ条件を満たすと判断し、図１０（ｉ）に示す第１奨励設定画面６１０ａを表示させる。そして、ＣＰＵ５１０は、用紙Ｐ上に余白領域を設けない状態で原稿画像Ｇを用紙Ｐ上に形成することをユーザに奨励する。具体的には、ＣＰＵ５１０は、項目６１２ａに余白領域を設けない原稿画像Ｇが用紙Ｐ上に形成された状態をプレビュー表示させるとともに、項目６１１ａの「余白なし」にチェックを入れた状態を表示させる。
一方、原稿サイズがＡ４（Ｘｏｒｉ＝２１０ｍｍ、Ｙｏｒｉ＝２９７ｍｍ）、用紙サイズがＡ５（Ｘｏｕｔ＝１４８ｍｍ、Ｙｏｕｔ＝２１０ｍｍ）、Ｍが２．５ｍｍ、とする。この場合、ＣＰＵ５１０は、（１）（２）のサイズ条件を満たさないと判断する。さらに、ＣＰＵ５１０は、用紙サイズよりも原稿サイズの方が大きいと判断し、用紙サイズに合わせて原稿画像Ｇを縮小する。そのため、ＣＰＵ５１０は、図１０（ｉｉ）に示す第２奨励設定画面６２０ａを表示させる。つまり、ＣＰＵ５１０は、用紙Ｐ上に余白領域を設けた状態で、用紙サイズに合わせて縮小した原稿画像Ｇを形成することをユーザに奨励する。具体的には、ＣＰＵ５１０は、項目６２２ａに、用紙サイズに合わせて縮小した余白領域のある原稿画像Ｇが用紙Ｐに形成された状態をプレビュー表示させるとともに、項目６２１ａの「用紙サイズに合わせる」にチェックを入れた状態を表示させる。
また、ＣＰＵ５１０は、印刷設定画面６００にてユーザが設定したプリント位置よりも望ましいプリント位置があると判断する場合、第１奨励設定画面６１０ａの項目６１３ａや第２奨励設定画面６２０ａの項目６２３ａに、当該望ましいプリント位置を表示させる。
【００５９】
次に、ＣＰＵ５１０は、第１奨励設定画面６１０ａ又は第２奨励設定画面６２０ａにてユーザに「ＯＫ」ボタンが押下された場合、印刷ジョブを生成する。当該印刷ジョブの印刷設定データには、第１奨励設定画面６１０ａ又は第２奨励設定画面６２０ａの印刷設定が反映される。
例えば、第１奨励設定画面６１０ａにてユーザに「ＯＫ」ボタンが押下された場合、ＣＰＵ５１０は、印刷設定画面６００にて余白なしの設定がされていなくとも、余白なしの設定を反映させた印刷設定データを生成する。具体的には、ＣＰＵ５１０は、図１１（ｉ）の項目６５１ａに示すように、「ＦＵＬＬＢＬＥＥＤ＝ＯＮ」の印刷設定データを生成する。
同様に、第２奨励設定画面６２０ａにてユーザに「ＯＫ」ボタンが押下された場合、ＣＰＵ５１０は、印刷設定画面６００にて「用紙サイズに合わせる」の設定がされていなくとも、用紙サイズに合わせて拡大／縮小した原稿サイズからなる印刷設定データを生成する。具体的には、ＣＰＵ５１０は、図１１（ｉｉ）に示すように、項目６５３ａの［・・・・・  ・・・・・］の箇所に拡大／縮小した原稿サイズを記載した印刷設定データを生成する。
また、図１１（ｉ）の項目６５４ａ１や図１１（ｉｉ）の項目６５４ａ２に示すように、ＣＰＵ５１０は、印刷設定画面６００にてユーザに設定されたプリント位置よりも望ましいプリント位置からなる印刷設定データを生成する。
【００６０】
さらに、ＣＰＵ５１０は、第１奨励設定画面６１０ａの項目６１３ａや第２奨励設定画面６２０ａの項目６２３ａに示すプリント位置の設定に基づいて、原稿画像Ｇのシフト量を（３）（４）により算出する。そして、ＣＰＵ５１０は、算出したシフト量を印刷設定データに付加する処理も行う。
【００６１】
次に、ＣＰＵ５１０は、生成した印刷ジョブを画像情報として画像形成装置１に送信する。画像形成装置１では、ＣＰＵ１１０が受信した印刷ジョブに基づいてＲＩＰ処理を実行して余白のない又は余白のある変換画像Ｃを生成する。さらに、エンジン制御部５０が当該変換画像Ｃに基づく画像形成処理を実行することで、用紙Ｐ上に余白のない又は余白のある変換画像Ｃを形成することができる。
【００６２】
「画像形成方法」
次に、画像形成システム１０００ａにて実現される画像形成方法について説明する。当該画像形成方法は、ＰＣ５００が実行する印刷ジョブ生成処理と、画像形成装置１が実行する印刷処理と、で実現される。
【００６３】
（印刷ジョブ生成処理）
まず、ＰＣ５００が実行する印刷ジョブ生成処理について、図１２のフローチャートを用いて説明する。
【００６４】
はじめに、ＣＰＵ５１０は、表示／操作部５５０を介して印刷設定画面６００を表示し、ユーザに用紙サイズの指定等の印刷設定を行わせる（ステップＳ１０１ａ；指定工程）。
そして、ＣＰＵ５１０は、当該印刷設定画面６００を介して用紙サイズがユーザに指定されたか否かを判断する（ステップＳ１０２ａ）。ここで、ＣＰＵ５１０は、ステップＳ１０２ａにてユーザに指定されていないと判断する場合（ステップＳ１０２ａ；Ｎｏ）、設定されるまで待機する。
一方で、ＣＰＵ５１０は、ステップＳ１０２ａにてユーザに指定されたと判断する場合（ステップＳ１０２ａ；Ｙｅｓ）、（１）（２）に示したサイズ条件を満たすか否かを判断する（ステップＳ１０３ａ；比較工程）。
次いで、ＣＰＵ５１０は、ステップＳ１０３ａにてサイズ条件を満たすと判断した場合（ステップＳ１０３ａ；Ｙｅｓ）、第１奨励設定画面６１０ａを表示させる（ステップＳ１０４ａ；提示工程）。一方で、ＣＰＵ５１０は、ステップＳ１０３ａにてサイズ条件を満たさないと判断した場合（ステップＳ１０３ａ；Ｎｏ）、第２奨励設定画面６２０ａを表示させる（ステップＳ１０５ａ；提示工程）。
次いで、ＣＰＵ５１０は、ステップＳ１０４ａにて表示させた第１奨励設定画面６１０ａの項目６１３ａやステップＳ１０５ａにて表示させた第２奨励設定画面６２０ａの項目６２３ａに基づいて、原稿画像Ｇのシフト量を算出する。（ステップＳ１０６ａ）。
次いで、ＣＰＵ５１０は、第１奨励設定画面６１０ａや第２奨励設定画面６２０ａの各項目及びステップＳ１０６ａにて算出したシフト量に基づいて、印刷ジョブを生成する。（ステップＳ１０７ａ；第１の生成工程、第２の生成工程）。そして、ＣＰＵ５１０は、生成した印刷ジョブを画像情報として通信Ｉ／Ｆ部５６０により画像形成装置１に送信する（ステップＳ１０８ａ）。
【００６５】
（印刷処理）
次に、画像形成装置１が実行する印刷処理について、図１３のフローチャートを用いて説明する。なお、ＣＰＵ１１０が図１３に示すステップＳ２０１ａ〜ステップＳ２０６ａの処理を実行することによって形成工程が実現される。
【００６６】
まず、ＣＰＵ１１０は、通信Ｉ／Ｆ部１４０を介して印刷ジョブを受信したか否かを判断する（ステップＳ２０１）。そして、ＣＰＵ１１０は、ステップＳ２０１にて印刷ジョブを受信していないと判断した場合（ステップＳ２０１；Ｎｏ）、受信するまで待機する。
次いで、ＣＰＵ１１０は、ステップＳ２０１にて印刷ジョブを受信したと判断した場合（ステップＳ２０１；Ｙｅｓ）、印刷ジョブに含まれる印刷設定データに基づいて、余白なしの設定がされているか否か（例えば、図１１（ｉ）に示す項目６５１ａが「ＦＵＬＬＢＬＥＥＤ＝ＯＮ」であるか否か）を判断する（ステップＳ２０２ａ）。
そして、ＣＰＵ１１０は、ステップＳ２０２ａにて余白なしの設定がされていると判断した場合（ステップＳ２０２ａ；Ｙｅｓ）、ＲＩＰ処理によって余白のない変換画像Ｃを生成する（ステップＳ２０３ａ）。一方で、ＣＰＵ１１０は、ステップＳ２０２ａにて余白なしの設定がされていないと判断した場合（ステップＳ２０２ａ；Ｎｏ）、ＲＩＰ処理によって余白のある変換画像Ｃを生成する（ステップＳ２０４ａ）。
次いで、ＣＰＵ１１０は、ステップＳ２０３ａ又はステップＳ２０４ａにて生成した変換画像Ｃからなるイメージデータを含む画像形成データをエンジン制御部５０へ送信する（ステップＳ２０５ａ）。
次いで、ＣＰＵ１１０は、エンジン制御部５０に、ステップＳ２０５ａにて送信した画像形成データに基づいて原稿画像Ｇの画像形成処理を実行させる（ステップＳ２０６ａ）。
【００６７】
以上により、実施形態２に係る画像形成システム１０００ａによると、ＣＰＵ５１０（ＰＣ５００）が（１）（２）に示したサイズ条件を満たすか否かの判断を行う。そして、ＣＰＵ１１０（画像形成装置１）は、ＣＰＵ５１０の判断結果に基づく印刷ジョブに従って、余白のない変換画像Ｃ又は余白のある変換画像Ｃを生成できる。そのため、画像形成システム１０００ａは、画像形成システム１０００と同様の効果を発揮することは勿論、判断処理が不要な分画像形成装置１の処理負担が軽減するという効果を発揮し得る。
【００６８】
また、ＣＰＵ５１０は、印刷設定画面６００を表示した後、第１奨励設定画面６１０ａや第２奨励設定画面６２０ａを表示させる。つまり、ＣＰＵ５１０は、原稿画像Ｇを用紙Ｐ上に形成する際の望ましい設定をユーザに提示することができる。そのため、ユーザは、第１奨励設定画面６１０ａや第２奨励設定画面６２０ａで提示される印刷設定により、印刷設定画面６００を介して行った印刷設定を再考する機会が得られる。
【００６９】
また、ＣＰＵ５１０は、サイズ条件を満たす場合、第１奨励設定画面６１０ａの項目６１１ａや項目６１２ａを介して、余白領域を設けない状態で原稿画像Ｇを用紙Ｐ上に形成するための望ましい設定を提示できる。
【００７０】
また、ＣＰＵ５１０は、サイズ条件を満たさない場合、第２奨励設定画面６２０ａの項目６２１ａや項目６２２ａを介して、用紙Ｐ上に余白領域を設けた状態で、用紙サイズに合わせて拡大縮小した原稿画像Ｇを形成するための望ましい設定を提示できる。さらに、ＣＰＵ５１０は、第１奨励設定画面６１０ａの項目６１３ａや第２奨励設定画面６２０ａの項目６２３ａを介して、望ましいプリント位置の設定を提示できる。
【００７１】
なお、以上の実施形態における記述は、本発明に係る好適な画像形成装置の一例であり、これに限定されるものではない。
また、以上の実施形態における画像形成装置を構成する各部の細部構成及び細部動作に関して本発明の趣旨を逸脱することのない範囲で適宜変更可能である。
【００７２】
例えば、実施形態２では、奨励設定画面（第１奨励設定画面６１０ａ、第２奨励設定画面６２０ａ）は、ＰＣ５００の表示／操作部５５０に表示されるように構成した。しかし、ユーザが画像形成装置１の表示／操作部７０を介して印刷設定の操作を行った場合に、ＣＰＵ１１０が表示／操作部７０のＬＣＤ上に当該奨励設定画面を表示するように構成してもよい。このように構成することで、ユーザは、画像形成装置１に直接原稿を読取らせた場合についても、事前に「余白なし」の設定を行ったか否かにかかわらず、余白領域を設けた状態で原稿画像Ｇが用紙Ｐ上に自動的に形成されることを回避できる。
【符号の説明】
【００７３】
１０００        画像形成システム
１              画像形成装置
４０            画像形成部
５０            エンジン制御部
１００          制御部
１１０          ＣＰＵ
１４０          通信Ｉ／Ｆ部
５００          ＰＣ
５１０          ＣＰＵ
５３０          ＨＤＤ
５４０          プリンタドライバプログラム
５５０          表示／操作部
５６０          通信Ｉ／Ｆ部
１０００ａ      画像形成システム
５４０ａ        プリンタドライバプログラム
６１０ａ        第１奨励設定画面
６２０ａ        第２奨励設定画面
【図１】
2011253002.tif 000003
【図２】
2011253002.tif 000004
【図３】
2011253002.tif 000005
【図４】
2011253002.tif 000006
【図５】
2011253002.tif 000007
【図６】
2011253002.tif 000008
【図７】
2011253002.tif 000009
【図８】
2011253002.tif 000010
【図９】
2011253002.tif 000011
【図１０】
2011253002.tif 000012
【図１１】
2011253002.tif 000013
【図１２】
2011253002.tif 000014
【図１３】
2011253002.tif 000015